(57)【特許請求の範囲】
【請求項１】
接続端部を栓棒ガイド体から下流側に突出させた状態で前記栓棒ガイド体内に設けてなる栓棒を軸芯まわりに回動可能に有し、この栓棒の回動操作に連動して前記軸芯まわりに回動するセラミック製の可動ディスクとこの可動ディスクに摺動可能に当接するセラミック製の固定ディスクよりなる弁を前記栓棒ガイド体内に有し、更に、前記栓棒ガイド体の周面に、前記弁が開いたときに水が流出する流出口を有するセラミック弁カートリッジと、このセラミック弁カートリッジを内蔵するとともに、内部に形成された分岐流路の入口と出口を前記軸芯上に有する筐体と、この筐体の外周側に前記弁を開閉するためのハンドルとを備え、前記筐体は、前記ハンドルの開閉操作に連動して前記軸芯まわりに回動する回転ガイド体と、この回転ガイド体の回動動作を前記栓棒に伝達するよう前記軸芯まわりに回動する回転リング体とを有する一方、前記分岐流路は、前記回転ガイド体の内周面および前記栓棒ガイド体の前記周面間に形成される環状流路部分を有し、更に、前記回転リング体は、前記軸芯を中心とする中央孔を前記栓棒の前記接続端部が嵌め込み可能に有するとともに、前記環状流路部分と前記出口を連通するために、前記軸芯に沿った方向に貫通された複数の連通孔を前記中央孔のまわりに有することを特徴とするセラミック弁カートリッジを用いた分岐バルブ。
【請求項２】
前記セラミック弁カートリッジが前記筐体に対して、前記軸芯まわりに回動するのを防止する回り止め手段を有する請求項１に記載のセラミック弁カートリッジを用いた分岐バルブ。
【発明の詳細な説明】
【０００１】
【発明の属する技術分野】
この発明は、セラミック弁カートリッジを用いた分岐バルブに関する。
【０００２】
【従来の技術および発明が解決しようとする課題】
例えば配管に接続されている分岐用継手を介して配管流路から分岐した分岐流路を例えばトイレの水まわり機器の導入流路に連通するのに、ハンドルの開閉操作によりパッキンが弁座から離間して吐水したり、パッキンが弁座に当接して止水する、いわゆる、コマ式のバルブ本体を備えた分岐バルブが用いられているが、前記ハンドルの回転操作を繰り返すことにより前記パッキンが劣化し、前記ハンドルを締付けても完全に止水することはできない等の問題がある。
【０００３】
この発明は、前記の点に留意してなされたものであり、その目的は、従来のようなパッキンを不要にでき、完全に止水することができるセラミック弁カートリッジを用いた分岐バルブを提供することを目的とする。
を提供することである。
【０００４】
【課題を解決するための手段】
上記目的を達成するために、この発明のセラミック弁カートリッジを用いた分岐バルブは、接続端部を栓棒ガイド体から下流側に突出させた状態で前記栓棒ガイド体内に設けてなる栓棒を軸芯まわりに回動可能に有し、この栓棒の回動操作に連動して前記軸芯まわりに回動するセラミック製の可動ディスクとこの可動ディスクに摺動可能に当接するセラミック製の固定ディスクよりなる弁を前記栓棒ガイド体内に有し、更に、前記栓棒ガイド体の周面に、前記弁が開いたときに水が流出する流出口を有するセラミック弁カートリッジと、このセラミック弁カートリッジを内蔵するとともに、内部に形成された分岐流路の入口と出口を前記軸芯上に有する筐体と、この筐体の外周側に前記弁を開閉するためのハンドルとを備え、前記筐体は、前記ハンドルの開閉操作に連動して前記軸芯まわりに回動する回転ガイド体と、この回転ガイド体の回動動作を前記栓棒に伝達するよう前記軸芯まわりに回動する回転リング体とを有する一方、前記分岐流路は、前記回転ガイド体の内周面および前記栓棒ガイド体の前記周面間に形成される環状流路部分を有し、更に、前記回転リング体は、前記軸芯を中心とする中央孔を前記栓棒の前記接続端部が嵌め込み可能に有するとともに、前記環状流路部分と前記出口を連通するために、前記軸芯に沿った方向に貫通された複数の連通孔を前記中央孔のまわりに有することを特徴とする。
【０００５】
【発明の実施の形態】
以下、この発明の実施形態について説明する。
図１〜図１８は、この発明の一実施形態を示す。
【０００６】
図１〜図１８において、分岐バルブ３８は、セラミック弁カートリッジ１と、このセラミック弁カートリッジ１を内蔵する筐体２４と、セラミック弁カートリッジ１の弁８を開閉するために前記筐体２４の外周側に設けられた筒状のハンドル３９とから主としてなり、例えば台所のシンク１００の載置面に載置される食器洗い器や浄水器等の水機器に設けた導入用のホース１０２と、シンク１００の取り付け面部１０１に設置される水栓９９に形成した分岐口部９９ａとを連通させる。なお、１０３は、ホース１０２の上流端に設けた継手で、後述する分岐流路Ｓの出口２４ｂを形成する押さえ部材３７に形成された外ねじ１０４に螺合する。また、１０５は、分岐口部９９ａに抜け止め可能に取り付けられた袋ナットである。
【０００７】
また、分岐バルブ３８は、セラミック弁カートリッジ１が筐体２４に対して、セラミック弁カートリッジ１の栓棒ガイド体４の軸芯Ｒまわりに回動するのを防止する回り止め手段を有する。
【０００８】
まず、セラミック弁カートリッジ１について説明する。
【０００９】
セラミック弁カートリッジ１は、Ｅリング２、回転片３、栓棒ガイド体４、栓棒ガイド体４の軸芯Ｒまわりに回動可能に設けられる栓棒７、この栓棒７の下部に設けたセラミック製の弁８、この弁８が載置されている筒状の固定ディスク押え９、バネ板１０およびＣリング１１とより主としてなる。
【００１０】
栓棒７は、栓棒ガイド体４内の上部に軸芯Ｒまわりに回動可能に取り付けられており、また、後述する回転リング体５の中央孔３０に上流側から嵌め込まれる円柱状の接続端部６を栓棒ガイド体４から下流側に突出させた状態で有する。栓棒７の前記接続端部６は、胴面に、軸芯Ｒに沿った方向にアウターセレーション６ａが形成されている。
【００１１】
固定ディスク押え９は、連通孔１２の内周面上部に対向配置された一対の係合突起１３，１３を有するとともに、外周面上端に設けた環状溝に嵌め込まれたＯリング１４を有する。
【００１２】
前記弁８は、栓棒７の底面に形成された突片１５に係合する係合用凹入部１６を下流側の面に有するセラミック製の可動弁体部分（可動ディスク）１７と、前記連通孔１２を介して栓棒ガイド体４の流入口１８に連通する一対の弁孔１９，１９が左右対称位置に穿設形成されているセラミック製の固定弁体部分（固定ディスク）２０とよりなる。固定ディスク２０は、固定ディスク押さえ９の上面に載置されている。固定ディスク２０の摺動面Ｔに密接した状態で可動ディスク１７が両矢印Ｇで示す方向に回転自在に配置されている。また、固定ディスク２０は、裏面側（上流面側）に前記係合突起１３，１３に係合する係合凹部２１を有する。また、前記弁孔１９，１９は、固定ディスク２０の摺動面Ｔ側から見れば平面視扇型を有して対向配置されているが、固定ディスク２０の裏面側（上流面側）から見れば係合凹部２１を挟む形で平面視三日月形状を有して対向配置されている。一方、可動ディスク１７の裏面は、固定ディスク２０の平面視扇型の弁孔１９，１９を閉鎖できる形状（図４参照）であるとともに、一対の切欠２２，２２が設けられている。
【００１３】
図５は、前記切欠２２と弁孔１９が連通している分岐バルブ吐水状態を示している。また、図４は、切欠２２と弁孔１９の連通を絶つ分岐バルブ止水状態を示す。
【００１４】
そして、栓棒ガイド体４は、弁８が開いたときに水が流出する一対の流出口４ａを周面Ｍの略中央の高さ位置に有する一方、可動ディスク１７の下面と固定ディスク２０の上面を当接させるために、固定ディスク押え９は、バネ板１０によって常時上向きに付勢されている。また、栓棒ガイド体４は、流入口としての下方開口４ｅを有し、この下方開口４ｅを介して固定ディスク押え９が栓棒ガイド体４に内嵌される。このとき、固定ディスク押え９の外周面下部に設けた一対の係止突起９ｅと、栓棒ガイド体４の周面Ｍの底部に設けた一対の係合溝４ｋ，４ｋとの係合により固定ディスク押え９は栓棒ガイド体４に係止される。
【００１５】
次に、前記筐体２４について説明する。
【００１６】
筐体２４は、内部にセラミック弁カートリッジ１が嵌め込まれており、筐体２４は、前記内部に分岐流路Ｓを有している。この分岐流路Ｓは、前記分岐口部９９ａを介して、水栓９９内に形成された水流路に連通している。筐体２４は、入口２４ａと出口２４ｂを軸芯Ｒ上に有する。すなわち、入口２４ａの中心と出口２４ｂの中心が軸芯Ｒ上に位置するよう筐体２４内にセラミック弁カートリッジ１が嵌め込まれる。
【００１７】
また、筐体２４は、軸芯Ｒまわりに回動される筒状の回転ガイド体２５と、このガイド体２５の回動動作を栓棒７に伝達するよう軸芯Ｒまわりに回動する回転リング体２６とを有する。
【００１８】
更に、筐体２４は、前記入口２４ａを形成する入口部３３、栓棒ガイド体４の上流端部４ｆが嵌め込まれて栓棒ガイド体４を分岐流路Ｓ内に保持する小径保持部３４、回転ガイド体２５が軸芯Ｒまわりに回動可能に嵌め込まれる大径嵌込部３５およびこの大径嵌込部３５より大径の内ねじ部３５ｆよりなる本体固定部材３６と、出口２４ｂを形成するとともに、回転ガイド体２５の下流端部２５ｆおよび前記下流端部分３５ｆ間に挟持され、それによって、回転リング体２６の外周面２６ｇを前記下流端部２５ｆで押さえつけて回転ガイド体２５を本体固定部材３６内に強固に固定するとともに、回転リング体２６を回転ガイド体２５内に強固に固定する押さえ部材３７とを有する。
更に、入口部３３は、外ねじ１０６を有し、前記袋ナット１０５に螺合する。押さえ部材３７は、前記内ねじ部３６ａに形成された内ねじ１０９に螺合する外ねじ１０８を上流端に有する。
【００１９】
そして、本体固定部材３６、回転ガイド体２５、回転リング体２６および押さえ部材３７とで前記筐体２４が構成される。
【００２０】
一方、前記ハンドル３９は、本体固定部材３６が嵌込まれる嵌込み穴６７を有し、本体固定部材３６の小径保持部３４および大径嵌込部３５に跨がる外周面に、軸芯Ｒまわりに回動できるよう嵌め込まれている。ハンドル３９は、回転ガイド体２５を回動させて前記弁８を開閉する。
【００２１】
【００２２】
前記回転リング体２６は、軸芯Ｒを中心とする中央孔３０を有する。この中央孔３０は、上流側の大径孔３０ａと、下流側の小径孔３０ｂとよりなり、大径孔３０ａは、栓棒７の前記接続端部６が嵌め込み可能な大きさを有する。図２は、回転リング体２６を上流側からみたもので、大径孔３０ａが示されている。図１５は、回転リング体２６を下流側からみたもので、小径孔３０ｂが示されている。
【００２３】
更に、回転リング体２６は、軸芯Ｒに沿った方向に貫通された複数の連通孔３２を中央孔３０のまわりに等間隔で有する。
【００２４】
そして、前記大径孔３０ａは、内周面に、上述した栓棒７の下流端部６の胴面に形成された前記アウターセレーション６ａに噛合するインナーセレーション４０を有する。前記インナーセレーション４０は、軸芯Ｒに沿った方向に形成されている。
【００２５】
次に、前記ハンドル３９の開閉操作が、前記回転ガイド体２５を介して回転リング体２６に伝達される機構について説明する。
【００２６】
回転リング体２６は、外周面２６ｇから径方向に穿設され前記内周面手前に至るピン挿入用の溝２６ａを、隣接する連通孔３２，３２間に有する一方、回転ガイド体２５は、前記下流端部２５ｆにおける前記溝２６ａに対応する位置に溝に連通するピン孔２５ａを有する。４１は、挿入されるピンである。図７は、ピン挿入用の溝２６ａおよびピン孔２５ａにわたりピン４１が嵌め込まれた状態を示す。これにより、回転ガイド体２５の軸芯Ｒまわりの回動に連動して、回転リング体２６を軸芯Ｒまわりに回動させることができる。
【００２７】
また、ハンドル３９は、一対の把持部３９ａ，３９ｂを有し、一方の把持部３９ｂを径方向に貫通するねじ孔３９ｂを有する一方、回転ガイド体２５は、上流端部２５ｇの外周面における前記ねじ孔３９ｂに対応する位置に、ねじ６５の先端６５ｃが嵌まり込む溝６６を有する。これにより、ハンドル３９の開閉操作を回転ガイド体２５に伝達できる。
【００２８】
次に、前記回り止め手段について説明する。
【００２９】
前記本体固定部材３６は、入口部３３の内周面で、前記小径保持部３４寄りに一対の溝５０，５０を有する。そして、図３に示すように、栓棒ガイド体４の周面Ｍの底部に設けた一対の係合溝４ｋ，４ｋが溝５０，５０に対向するよう、栓棒ガイド体４の前記上流端部４ｆが本体固定部材３６の前記小径保持部３４に嵌め込まれる。このとき、図７、図８に示すように、一方の係合溝４ｋおよび溝５０間に回り止め片１１の一端が嵌め込まれるとともに、他方の係合溝４ｋおよび溝５０間に回り止め片１１の他端が嵌め込まれる。これにより、セラミック弁カートリッジ１が本体固定部材３６に対して、ひいては筐体２４に対して、セラミック弁カートリッジ１の栓棒ガイド体４の軸芯Ｒまわりに回動するのを防止できる。
【００３０】
また、前記分岐流路Ｓは、前記回転ガイド体２５の内周面ｍおよび前記栓棒ガイド体４の前記周面Ｍ間に形成される環状流路部分Ｓ’を有する。
【００３１】
【発明の効果】
この発明では、セラミック製の可動ディスクとセラミック製の固定ディスクよりなる弁を有するセラミック弁カートリッジを用いることにより、コマ式のバルブ本体を備えた従来の分岐バルブのように、ハンドルの回転操作を繰り返すことによりパッキンが劣化したり、ハンドルを締付けても完全に止水することはできない等の問題を解決できる。
【図面の簡単な説明】
【図１】  この発明の一実施形態を示す全体構成説明図である。
【図２】  上記実施形態で用いた回転ガイド体を上流側からみた図である。
【図３】  上記実施形態で用いたセラミック弁カートリッジを示す分解斜視図である。
【図４】  上記実施形態における分岐バルブ止水状態を示す図である。
【図５】  上記実施形態における分岐バルブ吐水状態を示す図である。
【図６】  上記実施形態の使用状態を示す斜視図である。
【図７】  上記実施形態における筐体、ハンドルおよびセラミック弁カートリッジの動作を説明するための構成説明図である。
【図８】  同じく上記実施形態における筐体、ハンドルおよびセラミック弁カートリッジの動作を説明するための分解斜視図である。
【図９】  上記実施形態で用いた筐体の本体固定部材を示す縦断面図である。
【図１０】  上記実施形態で用いた筐体の本体固定部材を示す側面図である。
【図１１】  図９におけるＡ−Ａ線断面図である。
【図１２】  上記実施形態で用いた筐体の回転ガイド体を示す縦断面図である。
【図１３】  図１２におけるＡ−Ａ線断面図である。
【図１４】  上記実施形態で用いた筐体の回転ガイド体を示す平面図である。
【図１５】  上記実施形態で用いた回転ガイド体を下流側からみた図である。
【図１６】  上記実施形態で用いた回転ガイド体を示す断面図である。
【図１７】  上記実施形態で用いたハンドルを示す正面図である。
【図１８】  図１７におけるＡ−Ａ線断面図である。
【符号の説明】
１…セラミック弁カートリッジ、６…接続端部、４…栓棒ガイド体、７…栓棒、８…セラミック製の弁、１７…可動ディスク、２０…固定ディスク、２４…筐体、２４ａ…入口、２４ｂ…出口、２５…回転ガイド体、２６…回転リング体、３０…中央孔、３２…連通孔、３８…分岐バルブ、３９…ハンドル、Ｒ…軸芯、Ｓ…分岐流路、ｍ…内周面、Ｍ…周面、Ｓ’…環状流路部分。
【図１】
0003967959.tif 000002
【図２】
0003967959.tif 000003
【図３】
0003967959.tif 000004
【図４】
0003967959.tif 000005
【図５】
0003967959.tif 000006
【図６】
0003967959.tif 000007
【図７】
0003967959.tif 000008
【図８】
0003967959.tif 000009
【図９】
0003967959.tif 000010
【図１０】
0003967959.tif 000011
【図１１】
0003967959.tif 000012
【図１２】
0003967959.tif 000013
【図１３】
0003967959.tif 000014
【図１４】
0003967959.tif 000015
【図１５】
0003967959.tif 000016
【図１６】
0003967959.tif 000017
【図１７】
0003967959.tif 000018
【図１８】
0003967959.tif 000019